(57)【要約】【課題】記録音声にボタンの操作音が混入されるのを防止する。【解決手段】シャッターボタン２２の操作によって、音声付き動画の記録を開始するデジタルカメラ１０において、タッチセンサ１２４によってシャッターボタン２２への指の接触を検知する。シャッターボタン２２への指の接触が検知されると、ノッチフィルタ１７２が作動され、マイクロフォン２０から出力された音声信号からシャッターボタン２２の操作時に発生する音の信号成分が除去される。これにより、記録音声にシャッターボタン２２の操作音が混入されるのが防止される。【選択図】      図３
2006039105.tif 000002
【特許請求の範囲】
【請求項１】
外部音声をマイクロフォンで電気信号に変換し、記憶媒体に記録する音声記録装置において、
音声記録時に操作されるボタンへの指の接触を検知する接触検知手段と、
前記電気信号から前記ボタンの操作時に発生する音の信号成分を除去するフィルタ手段と、
前記接触検知手段で前記ボタンへの指の接触が検知されると、前記フィルタ手段を作動させる制御手段と、
を備えたことを特徴とする音声記録装置。
【請求項２】
前記ボタンが複数備えられている場合において、各ボタンごとに前記接触検知手段が個別に設けられるとともに、各ボタンごとに対応する前記フィルタ手段が個別に設けられ、前記制御手段は、前記接触検知手段で接触が検知されると、接触が検知されたボタンに対応する前記フィルタ手段を個別に作動させることを特徴とする請求項１に記載の音声記録装置。
【請求項３】
前記ボタンが複数備えられている場合において、各ボタンごとに前記接触検知手段が個別に設けられるとともに、前記フィルタ手段が、各ボタンごとに発生する音の信号成分を前記電気信号から選択的に除去可能に形成され、前記制御手段は、前記接触検知手段で接触が検知されると、前記フィルタ手段を作動させて、接触が検知されたボタンに対応する音の信号成分を前記電気信号から選択的に除去させることを特徴とする請求項１に記載の音声記録装置。
【発明の詳細な説明】
【技術分野】
【０００１】
本発明は音声記録装置に係り、特にボタンの操作音が記録されるのを防止する機能を備えた音声記録装置に関する。
【背景技術】
【０００２】
近年、コンパクトタイプのデジタルカメラの多くが、静止画の撮影機能に加えて音声付動画の撮影機能を備えている。このようなコンパクトタイプのデジタルカメラの場合、限られた設置スペースの中にマイクロフォンを組み込まなければならないため、レンズや絞りを駆動するモータの近傍にマイクロフォンが配置されてしまい、これらの駆動音が動画撮影中に音声とともに記録されてしまうという不具合があった。そこで、このような不具合を防止する提案も種々なされている（たとえば、特許文献１、２）。
【特許文献１】特開２００４−２３５０２号公報
【特許文献２】特開２００３−２３４９５４号公報
【発明の開示】
【発明が解決しようとする課題】
【０００３】
ところで、デジタルカメラで動画の撮影を行う場合、通常、撮影開始と終了の指示はシャッターボタンの押下で行われるが、このシャッターボタンを押下すると、その押下時にシャッターボタンから操作音（クリック音、接触音等）が発生し、音声に混じって記録されてしまうという不具合があった。同様にズーム機能を備えたデジタルカメラの場合には、そのズーム操作をするためにズームボタンを押下すると、音声に混じってズームボタンの操作音が記録されてしまうという不具合があった。
【０００４】
本発明は、このような事情に鑑みてなされたもので、記録音声にボタンの操作音が混入されるのを防止できる音声記録装置を提供することを目的とする。
【課題を解決するための手段】
【０００５】
請求項１に係る発明は、前記目的を達成するために、外部音声をマイクロフォンで電気信号に変換し、記憶媒体に記録する音声記録装置において、音声記録時に操作されるボタンへの指の接触を検知する接触検知手段と、前記電気信号から前記ボタンの操作時に発生する音の信号成分を除去するフィルタ手段と、前記接触検知手段で前記ボタンへの指の接触が検知されると、前記フィルタ手段を作動させる制御手段と、を備えたことを特徴とする音声記録装置を提供する。
【０００６】
本発明によれば、音声記録時に指がボタンに接触すると、その接触が接触検知手段で検知され、ボタン操作時に発生する音（クリック音、接触音等）の信号成分をマイクロフォンから取り込んだ電気信号から除去するフィルタ手段が作動される。これにより、ボタンの操作音が記録音声に混入されるのを防止できる。
【０００７】
また、請求項２に係る発明は、前記目的を達成するために、前記ボタンが複数備えられている場合において、各ボタンごとに前記接触検知手段が個別に設けられるとともに、各ボタンごとに対応する前記フィルタ手段が個別に設けられ、前記制御手段は、前記接触検知手段で接触が検知されると、接触が検知されたボタンに対応する前記フィルタ手段を個別に作動させることを特徴とする請求項１に記載の音声記録装置を提供する。
【０００８】
本発明によれば、ボタンが複数備えられている場合において、各ボタンごとに接触検知手段が設けられ、各ボタンごとに個別に指の接触が検知される。また、各ボタンごとに対応するフィルタ手段が設けられ、接触が検知されたボタンごとに対応するフィルタ手段が個別に作動される。これにより、より効果的にボタンの操作音が記録音声に混入されるのを防止できる。
【０００９】
また、請求項３に係る発明は、前記目的を達成するために、前記ボタンが複数備えられている場合において、各ボタンごとに前記接触検知手段が個別に設けられるとともに、前記フィルタ手段が、各ボタンごとに発生する音の信号成分を前記電気信号から選択的に除去可能に形成され、前記制御手段は、前記接触検知手段で接触が検知されると、前記フィルタ手段を作動させて、接触が検知されたボタンに対応する音の信号成分を前記電気信号から選択的に除去させることを特徴とする請求項１に記載の音声記録装置を提供する。
【００１０】
本発明によれば、ボタンが複数備えられている場合において、各ボタンごとに個別に指の接触が検知され、各ボタンごとに発生する音の信号成分がフィルタ手段で選択的に除去される。これにより、より効果的にボタンの操作音が記録音声に混入されるのを防止できる。
【発明の効果】
【００１１】
本発明に係る音声記録装置によれば、記録音声にボタンの操作音が混入されるのを防止することができる。
【発明を実施するための最良の形態】
【００１２】
以下、添付図面に従って本発明に係る音声記録装置を実施するための最良の形態について説明する。
【００１３】
図１、図２は、それぞれ本発明が適用されたデジタルカメラの正面斜視図と背面斜視図である。
【００１４】
このデジタルカメラ１０は、静止画と音声付動画の記録機能を備えたデジタルカメラであって、そのカメラボディ１２は、横方向に細長く形成された矩形の箱状に形成されている。
【００１５】
カメラボディ１２の正面には、図１に示すように、撮影レンズ１４、ファインダ窓１６、ストロボ１８、マイクロフォン２０等が設けられており、上面には、シャッターボタン２２、電源／モードスイッチ２４、モードダイヤル２６等が設けられている。
【００１６】
また、カメラボディ１２の背面には、図２に示すように、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００１７】
また、図示しないカメラボディ１２の底面には、開閉自在なカバーを介してバッテリーを収納するためのバッテリー収納室と、メモリカードを装填するためのメモリカードスロットとが設けられている。
【００１８】
シャッターボタン２２は、いわゆる「半押し」と「全押し」とからなる２段ストローク式のスイッチで構成されている。デジタルカメラ１０は、このシャッターボタン２２を半押しすると、ＡＥ（Automatic Exposure：自動露出）、ＡＦ（Auto Focus：自動合焦）、ＡＷＢ（Automatic White Balance ：自動ホワイトバランス）が機能し、全押しすると、画像記録の処理を実行する（静止画撮影時）。また、動画撮影時は、このシャッターボタン２２を全押しすると、画像の記録を開始し、更にもう一度全押しすると、画像の記録を停止する。
【００１９】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２４を「再生位置」又は「撮影位置」に合わせることにより、電源がＯＮになり、「ＯＦＦ位置」に合わせることにより、電源がＯＦＦになる。そして、電源／モードスイッチ２４を「再生位置」に合わせることにより、「再生モード」に設定され、「撮影位置」に合わせることにより、「撮影モード」に設定される。
【００２０】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００２１】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００２２】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２３】
十字ボタン３４は、上下左右４方向に押圧操作することができるようにされており、各方向の指示を入力するボタンとして機能する。
【００２４】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００２５】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００２６】
図３は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、タッチセンサ１２４、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、ストロボ制御回路１６２、音声信号処理回路１６４、Ｄ／Ａ変換器１６６、アンプ（ＡＭＰ）１６８、アンプ（ＡＭＰ）１７０、ノッチフィルタ１７２、自動レベルコントローラ（ＡＬＣ）１７４、Ａ／Ｄ変換器１７６等で構成されている。
【００２７】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００２８】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００２９】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００３０】
タッチセンサ１２４は、シャッターボタン２２に設けられており、シャッターボタン２２への指の接触を検知して、ＣＰＵ１１０に出力する。
【００３１】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００３２】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００３３】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００３４】
アナログ処理回路１３８は、撮像素子１３４から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅する。
【００３５】
Ａ／Ｄ変換器１４０は、アナログ処理回路１３８から出力されたＲ、Ｇ、Ｂのアナログの画像信号をそれぞれ１２ビットのデジタルの画像信号に変換する。
【００３６】
画像入力コントローラ１４２は、所定容量のラインバッファを内蔵し、Ａ／Ｄ変換器１４０から出力された１画像分の画像信号を蓄積して、メモリ１２０に格納する。
【００３７】
画像信号処理回路１４４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して、画像データを生成する。
【００３８】
圧縮・伸張処理回路１４６は、ＣＰＵ１１０からの指令に従って入力された画像データに圧縮処理を施し、所定フォーマットの圧縮画像データを生成する。また、入力された圧縮画像データに伸張処理を施し、非圧縮のデジタル画像データを生成する。
【００３９】
メディアコントローラ１４８は、ＣＰＵ１１０からの指令に従ってメディアスロットに装填された記憶メディア（メモリカード）１５０に対してデータの読み出し及び書き込みを制御する。
【００４０】
ＵＳＢインターフェース１５２は、ＣＰＵ１１０からの指令に従ってＵＳＢ端子４４を介して接続された外部機器（パソコンやプリンタ等）との間でＵＳＢ規格に従った通信を行う。
【００４１】
ＬＣＤ／ビデオエンコーダ１５４は、ＣＰＵ１１０からの指令に従って画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００４２】
ＯＳＤ（On Screen Display ）回路１５６は、ＣＰＵ１１０からの指令に従って液晶モニタ等の画面上に表示する文字や図形を示す信号をＬＣＤ／ビデオエンコーダ１５４に出力する。
【００４３】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（たとえば１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００４４】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００４５】
ストロボ制御回路１６２は、ＣＰＵ１１０からの指令に従ってストロボの発光を制御する。
【００４６】
音声信号処理回路１６４は、ＣＰＵ１１０からの指令に従ってスピーカ４２から出力する音声信号を処理するとともに、マイクロフォン２０から取り込まれた音声信号を処理する。
【００４７】
音声信号処理回路１６４で所要の信号処理が施されたスピーカ出力用の音声信号は、音声信号処理回路１６４からＤ／Ａ変換器１６６に加えられ、アナログの音声信号に変換されたのち、アンプ１６８で増幅されて、スピーカ４２に出力される。
【００４８】
音声を記録する場合は、外部音声がマイクロフォン２０で電気信号（音声信号）に変換され、そのマイクロフォン２０から出力された音声信号が、アンプ１７０で増幅されたのち、ノッチフィルタ１７２を介して自動レベルコントローラ（ＡＬＣ）１７４に加えられる。そして、その自動レベルコントローラ１７４でレベル調整が行われたのち、Ａ／Ｄ変換器１７６でデジタルの音声信号に変換され、音声信号処理回路１６４に入力されて、所要の信号処理が施される。
【００４９】
ここで、ノッチフィルタ１７２は、入力信号から狭帯域信号（ある特定の周波数成分を含んだ信号）を除去して出力するもので、図４に示すように、狭帯域信号の周波数のゲインを０にし、それ以外の周波数に対してはゲインを１にするフィルタが用いられる。ここでは、音声信号からシャッターボタン２２の操作音の信号成分（シャッターボタン２２を押圧操作した際にシャッターボタン２２から発生する音（クリック音や接触音）の周波数成分）を除去するように作用する。
【００５０】
このノッチフィルタ１７２は、ＣＰＵ１１０からの指令に従って作動し、ＣＰＵ１１０は、タッチセンサ１２４でシャッタボタン２２への指の接触を検知すると、ノッチフィルタ１７２を作動させる。
【００５１】
前記のごとく構成された本実施の形態のデジタルカメラ１０の作用は、次のとおりである。
【００５２】
まず、静止画撮影時における処理動作について説明する。上記のように、デジタルカメラ１０は、シャッターボタン２２の半押しでＡＥ、ＡＦ、ＡＷＢが機能し、全押しで画像記録が行われる。
【００５３】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００５４】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００５５】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００５６】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００５７】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００５８】
まず、上記のＡＥ処理で求めた絞り値、シャッタースピードで撮像素子１３４を露光し、記録用の画像信号の取り込みを行う。
【００５９】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の圧縮フォーマット（たとえばＪＰＥＧ）に従って圧縮し、圧縮された画像データは、再度、メモリ１２０に格納される。
【００６０】
ＣＰＵ１１０は、メモリ１２０に格納された圧縮画像データを所定フォーマットの静止画像ファイルとして、メディアコントローラ１４８を介して記憶メディア（メモリカード）１５０に記録される。
【００６１】
次に、動画撮影時における処理動作について説明する。まず、モードダイヤル２６によって、カメラの撮影モードを「動画撮影モード」に設定する。
【００６２】
上記のように、動画撮影は、シャッターボタン２２を全押しすると、画像の記録が開始され、更にもう一度全押しすると、記録が停止される。
【００６３】
シャッターボタン２２が全押しされると、ＣＰＵ１１０にＳ２ＯＮ信号が入力され、このＳ２ＯＮ信号に応動して、ＣＰＵ１１０は画像の記録処理を開始する。すなわち、ＡＥ制御、ＡＦ制御、ＡＷＢ調整を連続的に行いながら、撮像素子１３４で連続的に画像を撮像する。撮像素子１３４から連続的に出力された画像信号は、アナログ処理回路１３８、Ａ／Ｄ変換器１４０、画像入力コントローラ１４２を介して順次メモリ１２０に格納され、メモリ１２０から画像信号処理回路１４４に加えられて、画像データ（ＹＣデータ）に変換される。画像信号処理回路１４４で生成された画像データは、メモリ１２０を介して順次圧縮・伸張処理回路１４６に加えられ、所定の圧縮フォーマット（たとえばＪＰＥＧ）に従って圧縮されたのち、順次メモリ１２０に格納される。
【００６４】
このように、撮像素子１３４から連続的に出力された画像信号を順次処理して画像データを生成し、順次メモリ１２０に格納する一方、マイクロフォン２０で音声を収集し、そのマイクロフォン２０から出力される音声信号を処理して音声データを生成し、順次メモリ１２０に格納する。
【００６５】
マイクロフォン２０から出力された音声信号は、ＣＰＵ１１０の制御の下、アンプ１７０、ノッチフィルタ１７２、自動レベルコントローラ（ＡＬＣ）１７４、Ａ／Ｄ変換器１７６を介して音声信号処理回路１６４に加えられ、所要の信号処理が施されたのち、メモリ１２０に格納される。
【００６６】
この際、ＣＰＵ１１０は、タッチセンサ１２４でシャッタボタン２２への指の接触を検知すると、ノッチフィルタ１７２を作動させ、アンプ１７０から出力された音声信号からシャッターボタン２２の操作音の信号成分を除去して出力する。これにより、シャッターボタン２２を操作した場合であっても、その操作音が音声に混入されるのを防止することができ、必要な音声のみが記録される。
【００６７】
上記のように、シャッターボタン２２が全押しされると、ＣＰＵ１１０は、画像データと音声データの記録を連続的に行い、再度シャッターボタン２２が全押しされたことを検出すると、画像データと音声データの記録を停止する。そして、メモリ１２０に格納された画像データと音声データを所定フォーマットの動画像ファイルとして、メディアコントローラ１４８を介して記憶メディア（メモリカード）１５０に記録する。
【００６８】
記憶メディア１５０に記録された静止画像ファイル及び動画像ファイルは、カメラのモードを再生モードに設定することにより、液晶モニタ３０で再生することができる。
【００６９】
電源／モードスイッチ２４を再生位置に合わせて、カメラのモードを再生モードに設定すると、ＣＰＵ１１０は、メディアコントローラ１４８にコマンドを出力し、記憶メディア１５０に最後に記録された画像ファイルを読み出させる。
【００７０】
最後に記録された画像ファイルが、静止画の画像ファイルの場合、読み出された画像ファイルの圧縮画像データは、圧縮・伸張処理回路１４６に加えられ、伸張処理が施されて非圧縮の画像データにされたのち、ビデオエンコーダ１５４を介してモニタ３０に出力される。これにより、記憶メディア１５０に記録されている画像がモニタ３０に再生表示される。
【００７１】
画像のコマ送りは、十字ボタン３４の左右のキー操作で行なわれ、右キーが操作されると、次の画像ファイルが記憶メディア１５０から読み出され、液晶モニタ３０に再生表示される。また、十字ボタン３４の左キーが操作されると、一つ前の画像ファイルが記憶メディア１５０から読み出され、液晶モニタ３０に再生表示される。
【００７２】
動画の画像ファイルの場合は、先頭フレームの画像がモニタ３０に出力され、この状態でＭＥＮＵ／ＯＫボタン３６が押されると、再生が開始される。
【００７３】
以上説明したように、本実施の形態のデジタルカメラ１０によれば、音声付き動画を記録する際、シャッタボタン２２に指が触れると、ノッチフィルタ１７２が作動され、マイクロフォン２０から取り込まれた音声信号からシャッターボタン２２の操作音の信号成分を除去される。これにより、耳障りな音の混入を防止でき、必要な音声のみを記録することができる。
【００７４】
なお、本実施の形態では、記録音声からシャッターボタン２２の操作音を除去することとしているが、これは音声付き動画の記録時に操作されるボタンがシャッターボタン２２であるためであり、他のボタンが操作される場合には、そのボタンの操作音を除去するように構成する。
【００７５】
また、音声付き動画の記録時に複数のボタンが操作される場合には、各ボタンごとに個別に操作音を取り除くように構成することが好ましい。たとえば、音声付き動画の撮影時にズームボタンにてズーム操作が可能な場合には、ズームボタンの操作音も取り除くように構成する。
【００７６】
図５は、このように複数のボタンの操作音を取り除く場合の音声信号処理部の構成を示すブロック図である。なお、同図はシャッターボタン２２とズームボタン３２（ズームテレボタン３２Ｔとズームワイドボタン３２Ｔ）の操作音を取り除く場合を示している。
【００７７】
同図に示すように、シャッターボタン２２、ズームテレボタン３２Ｔ、ズームワイドボタン３２Ｔの各ボタンには、それぞれ個別にタッチセンサ１２４Ａ、１２４Ｂ、１２４Ｃが設けられており、各ボタンへの指の接触が個別に検知できるようにされている。
【００７８】
また、アンプ１７０と自動レベルコントローラ１７４との間には、シャッターボタン２２の操作音の信号成分を除去するノッチフィルタ１７２Ａと、ズームテレボタン３２Ｔの操作音の信号成分を除去するノッチフィルタ１７２Ｂと、ズームワイドボタン３２Ｗの操作音の信号成分を除去するノッチフィルタ１７２Ｃとの３つのノッチフィルタが設けられており、ＣＰＵ１１０からの指令に従って個別に作動するようにされている。
【００７９】
ＣＰＵ１１０は、たとえばタッチセンサ１２４Ａでシャッタボタン２２への指の接触を検知すると、シャッターボタン２２の操作音の信号成分を除去するノッチフィルタ１７２Ａを作動させ、音声信号からシャッターボタン２２の操作音の信号成分を除去する。同様にタッチセンサ１２４Ｂでズームテレボタン３２Ｔへの指の接触を検知すると、ズームテレボタン３２Ｔの操作音の信号成分を除去するノッチフィルタ１７２Ｂを作動させて、音声信号からズームテレボタン３２の操作音の信号成分を除去し、タッチセンサ１２４Ｃでズームテレボタン３２Ｗへの指の接触を検知すると、ズームテレボタン３２Ｗの操作音の信号成分を除去するノッチフィルタ１７２Ｃを作動させて、音声信号からズームワイドボタン３２Ｗの操作音の信号成分を除去する。
【００８０】
このように、音声信号から個別にボタンの操作音の信号成分を取り除くことにより、耳障りな操作音を混入させることなく、必要な音声のみを記録できる。
【００８１】
図６は、複数のボタンの操作音を取り除く場合の音声信号処理部の他の構成を示すブロック図である。なお、上記同様にシャッターボタン２２とズームボタン３２（ズームテレボタン３２Ｔとズームワイドボタン３２Ｔ）の操作音を取り除く場合を示している。
【００８２】
同図に示すように、シャッターボタン２２、ズームテレボタン３２Ｔ、ズームワイドボタン３２Ｔの各ボタンには、それぞれ個別にタッチセンサ１２４Ａ、１２４Ｂ、１２４Ｃが設けられており、各ボタンへの指の接触が個別に検知できるようにされている。
【００８３】
一方、アンプ１７０と自動レベルコントローラ１７４との間に設けられたノッチフィルタ１７２Ｖは、入力信号から除去する周波数成分を可変できるように構成されており（図７参照）、ＣＰＵ１１０の制御の下、シャッターボタン２２の操作音の信号成分と、ズームテレボタン３２Ｔの操作音の信号成分と、ズームワイドボタン３２Ｗの操作音の信号成分とを選択的に除去する。
【００８４】
ＣＰＵ１１０は、たとえばタッチセンサ１２４Ａでシャッタボタン２２への指の接触を検知すると、シャッターボタン２２の操作音の信号成分を除去するようにノッチフィルタ１７２Ｖを作動させる（シャッターボタン２２を押圧操作した際にシャッターボタン２２から発生する音の周波数成分を除去するように作動させる。）。また、タッチセンサ１２４Ｂでズームテレボタン３２Ｔへの指の接触を検知すると、ズームテレボタン３２Ｔの操作音の信号成分を除去するようにノッチフィルタ１７２Ｖを作動させ（ズームテレボタン３２Ｔを押圧操作した際にズームテレボタン３２Ｔから発生する音の周波数成分を除去するように作動させる。）、タッチセンサ１２４Ｃでズームワイドボタン３２Ｗへの指の接触を検知すると、ズームワイドボタン３２Ｗの操作音の信号成分を除去するようにノッチフィルタ１７２Ｖを作動させる（ズームワイドボタン３２Ｗを押圧操作した際にズームワイドボタン３２Ｗから発生する音の周波数成分を除去するように作動させる。）。
【００８５】
このように、入力信号から除去する周波数成分を可変できるノッチフィルタ１７２Ｖを用いることによっても、音声信号から個別にボタンの操作音の信号成分を取り除くことができる。これにより、耳障りな操作音を混入させることなく、必要な音声のみを記録できる。
【００８６】
なお、上記実施の形態では、撮影操作に関与するボタンから発生する操作音についてのみ音声信号から除去するようにしているが、撮影に関与しないボタンについても上記同様の構成で操作音を除去するようにしてもよい。これにより、動画撮影中に撮影に関与しないボタンに偶然手が接触したような場合であっても、これらのボタンから発生する操作音（接触音）を混入させることなく、音声を記録することができるようになる。
【００８７】
また、上記実施の形態では、本発明をデジタルカメラに適用した場合について説明したが、本発明の適用は、これに限定されるものではなく、ボタン操作を伴って音声の記録動作を行う装置全般に適用することができる。
【図面の簡単な説明】
【００８８】
【図１】デジタルカメラの正面斜視図
【図２】デジタルカメラの背面斜視図
【図３】デジタルカメラの電気的構成を示すブロック図
【図４】ノッチフィルタの特性を示すグラフ
【図５】複数のボタンの操作音を取り除く場合の音声信号処理部の構成を示すブロック図
【図６】複数のボタンの操作音を取り除く場合の音声信号処理部の構成を示すブロック図
【図７】特定の信号成分を選択的に除去するノッチフィルタの特性を示すグラフ
【符号の説明】
【００８９】
１０…デジタルカメラ、１２…カメラボディ、１４…撮影レンズ、１６…ファインダ窓、１８…ストロボ、２０…マイク、２２…シャッターボタン、２４…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…タッチセンサ、１２４Ａ…タッチセンサ（シャッターボタン用）、１２４Ｂ…タッチセンサ（ズームテレボタン用）、１２４Ｃ…タッチセンサ（ズームワイドボタン用）、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…ストロボ制御回路、１６４…音声信号処理回路、１６６…Ｄ／Ａ変換器、１６８…アンプ（ＡＭＰ）、１７０…アンプ（ＡＭＰ）、１７２…ノッチフィルタ、１７２Ａ…ノッチフィルタ（シャッタボタン用）、１７２Ｂ…ノッチフィルタ（ズームテレボタン用）、１７２…ノッチフィルタ（ズームワイドボタン用）、１７２Ｖ…ノッチフィルタ（可変用）、１７４…自動レベルコントローラ（ＡＬＣ）、１７６…Ａ／Ｄ変換器
【図１】
2006039105.tif 000003
【図２】
2006039105.tif 000004
【図３】
2006039105.tif 000005
【図４】
2006039105.tif 000006
【図５】
2006039105.tif 000007
【図６】
2006039105.tif 000008
【図７】
2006039105.tif 000009